(57)【要約】【課題】  スリップ防止用の突起を容易に形成できる目地プレート用端板を提供すること目地プレート用端板を提供すること。【解決手段】  左右の躯体間の目地部にかけ渡すように設けられ、目地部を塞ぐ目地プレートの一端部に取り付けられる目地プレート用端板であって、前記目地プレート用端板は、板状の端板本体と、この端板本体に形成された複数個の透孔と、該複数個の透孔にそれぞれ固定され、かつ、端板本体の表面からヘッド部が突出するピンとで構成され、前記複数個の透孔は略等間隔で形成され、前記ピンは、ヘッド部が略円錐台形状、略円柱状又は略角柱状に形成されているとともに、端板本体の裏面から突出しないように固定されていることを特徴とする。【選択図】  図１
2019167682.tif 000002
【特許請求の範囲】
【請求項１】
左右の躯体間の目地部にかけ渡すように設けられ、目地部を塞ぐ目地プレートの一端部に取り付けられる目地プレート用端板であって、
前記目地プレート用端板は、板状の端板本体と、この端板本体に形成された複数個の透孔と、該複数個の透孔にそれぞれ固定され、かつ、前記端板本体の表面からヘッド部が突出するピンとで構成され、
前記複数個の透孔は略等間隔で形成され、前記ピンは、ヘッド部が略円錐台形状、略円柱状又は略角柱状に形成されているとともに、端板本体の裏面から突出しないように固定されている目地プレート用端板。
【請求項２】
前記複数個の透孔は、前後左右方向に約３０ｍｍ間隔で形成されていることを特徴とする請求項１に記載の目地プレート用端板。
【請求項３】
前記端板本体の裏面側には前記複数個の透孔にそれぞれ連通する凹所が形成され、前記ピンは、前記凹所に入り込むようにカシメ加工されていることを特徴とする請求項１又は請求項２のいずれかに記載の目地プレート用端板。
【請求項４】
目地プレート本体と、該目地プレート本体の一端部に設けられた目地プレート用端板とからなる目地プレートであって、
前記目地プレート用端板は、板状の端板本体と、この端板本体に形成された複数個の透孔と、該複数個の透孔にそれぞれ固定され、かつ、前記端板本体の表面からヘッド部が突出するピンとで構成され、
前記複数個の透孔は略等間隔で形成され、前記ピンは、ヘッド部が略円錐台形状、略円柱状又は略角柱状に形成されているとともに、端板本体の裏面から突出しないように固定されている目地プレート。
【請求項５】
前記複数個の透孔は、前後左右方向に約３０ｍｍ間隔で形成されていることを特徴とする請求項４に記載の目地プレート。
【請求項６】
前記端板本体の裏面側には前記複数個の透孔にそれぞれ連通する凹所が形成され、前記ピンは、前記凹所に入り込むようにカシメ加工されていることを特徴とする請求項４又は請求項５のいずれかに記載の目地プレート。
【発明の詳細な説明】
【技術分野】
【０００１】
本発明は目地部を塞ぐ目地プレート及びこの目地プレートに用いられる目地プレート用端板に関する。
【背景技術】
【０００２】
従来、躯体間の目地部を塞ぐ床用目地プレートに用いられる目地プレート用端板としては、「板状で目地プレートの先端部に上下方向に回動できるように取付けられたカバープレート」が特許文献１に記載されている。
【０００３】
このような目地プレート用端板（カバープレート）は、上面にシマ鋼板（チェッカープレート）のようなスリップ防止の突起を形成した板を用いる場合があるが、カバープレートに一体的に形成されているため、加工を行うためには金型等が必要となったり、既存のカバープレートに突起を形成することができないという問題点があった。
また、例えばシマ鋼板は、線状の突起の突出高さが低く、かつ、突起の縁部がなだらかな形状となっているので、スリップ防止効果が低いという欠点があった。
付言すると、突起同士の間隔が狭く靴底等が接触した際に、面接触のような状態となり、突起によるスリップ防止効果が得られにくく、ゴミが突起間に残ってしまうという問題もあった。
【先行技術文献】
【特許文献】
【０００４】
【特許文献１】特開２０１３−２５６７９０号公報
【発明の概要】
【発明が解決しようとする課題】
【０００５】
本発明は以上のような従来の欠点に鑑み、スリップ防止用の突起を容易に形成できる目地プレート用端板を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の目地プレート用端板は、左右の躯体間の目地部にかけ渡すように設けられ、目地部を塞ぐ目地プレートの一端部に取り付けられる目地プレート用端板であって、前記目地プレート用端板は、板状の端板本体と、この端板本体に形成された複数個の透孔と、該複数個の透孔にそれぞれ固定され、かつ、端板本体の表面からヘッド部が突出するピンとで構成され、前記複数個の透孔は略等間隔で形成され、前記ピンは、ヘッド部が略円錐台形状、略円柱状又は略角柱状に形成されているとともに、端板本体の裏面から突出しないように固定されていることを特徴とする。
【０００８】
請求項２に記載の目地プレート用端板は、前記複数個の透孔は、約３０ｍｍ間隔で形成されていることを特徴とする。
【０００９】
請求項３に記載の目地プレート用端板は、前記端板本体の裏面側には前記複数個の透孔にそれぞれ連通する凹所が形成され、前記ピンは、前記凹所に入り込むようにカシメ加工されていることを特徴とする。
【００１０】
請求項４に記載の目地プレートは、目地プレート本体と、該目地プレート本体の一端部に設けられた目地プレート用端板とからなる目地プレートであって、
前記目地プレート用端板は、板状の端板本体と、この端板本体に形成された複数個の透孔と、該複数個の透孔にそれぞれ固定され、かつ、端板本体の表面からヘッド部が突出するピンとで構成され、前記複数個の透孔は略等間隔で形成され、前記ピンは、ヘッド部が略円錐台形状、略円柱状又は略角柱状に形成されているとともに、端板本体の裏面から突出しないように固定されていることを特徴とする。
【００１１】
請求項５に記載の目地プレートは、前記複数個の透孔は、前後左右方向に約３０ｍｍ間隔で形成されていることを特徴とする。
【００１２】
請求項６に記載の目地プレートは、前記端板本体の裏面側には前記複数個の透孔にそれぞれ連通する凹所が形成され、前記ピンは、前記凹所に入り込むようにカシメ加工されていることを特徴とする。
【発明の効果】
【００１３】
以上の説明から明らかなように、本発明にあっては次に列挙する効果が得られる。
（１）請求項１及び請求項４に記載の各発明においては、板状の端板本体に多数個の透孔を形成し、この透孔にそれぞれピンを固定しているので、スリップ防止用の突起を容易に形成することができる。
（２）また、端板本体に透孔を形成し、ピンを固定するだけでよいので、既存の目地プレート用端板（平板状の目地プレート用端板）に滑り止めを後付することができる。
（３）ヘッド部が略円錐台形状、略円柱状又は略角柱状に形成されたピンを固定しているので、ヘッドの角が靴底等に接触し、高いスリップ防止効果を得ることができる。
（４）ピンは端板本体の裏面から突出しないように固定されているので、使用状態では、端板本体全体が床面等と接するため、目地プレート用端板を安定した状態で設置できるとともに、床面等をピンの底面部で傷つけることを防止することができる。
（５）請求項２、請求項３、請求項５及び請求項６に記載の各発明においても、前記（１）〜（４）と同様な効果が得られる。
【図面の簡単な説明】
【００１４】
図１乃至図１０は本発明の第１の実施形態を示す説明図である。
図１１乃至図１５は本発明の第２の実施形態を示す説明図である。
【図１】第１の実施形態の目地プレート用端板の平面図。
【図２】目地プレート用端板の正面図。
【図３】図１の３−３線断面図。
【図４】端板本体の平面図。
【図５】図４の５−５線断面図。
【図６】目地プレートの平面図。
【図７】図６の７−７線断面図。
【図８】使用状態の説明図。
【図９】地震によって目地部が狭くなった状態の説明図。
【図１０】地震によって目地部が広くなった状態の説明図。
【図１１】第２の実施形態の目地プレート用端板の平面図。
【図１２】目地プレート用端板の正面図。
【図１３】図１１の１３−１３線断面図。
【図１４】目地プレートの平面図。
【図１５】図１４の１５−１５線断面図。
【発明を実施するための形態】
【００１５】
以下、図面に示す本発明を実施するための形態により、本発明を詳細に説明する。なお、本明細書では図１を基準として左右方向、前（図面上方）後（図面下方）方向という。また、図８を基準として上（図面上方）下（図面下方）方向という。
【００１６】
また、本発明において躯体とは、車両が通行する道路を主に想定しているが、人が通行する部分の目地プレートに設けることも可能であるため、建物、スラブ、エレベーターシャフト等の目地プレートを設置可能な建造物をも含むものである。
図１乃至図６に示す本発明を実施するための第１の形態において、１は本実施の形態においては、目地部２を介して設けられた左右の躯体３、４間に設置される目地プレート５に用いられる目地プレート用端板である。
【００１７】
この目地プレート用端板１は、図１乃至図３に示すように、板状の端板本体６と、この端板本体６に形成された複数個の透孔７と、該複数個の透孔７にそれぞれ固定され、かつ、端板本体の表面６ａからヘッド部８が突出するピン９とで構成されている。
本実施形態において目地プレート用端部１は前後方向に１０００ｍｍ、左右方向に２００ｍｍの寸法に形成されているが、様々な縦横比で形成することができる。
【００１８】
前記端板本体６は、アルミニウム、アルミニウム合金、ステンレス鋼、鉄鋼等の金属で形成されており、この端板本体６には、複数個の透孔７が略等間隔で形成されている。
この複数個の透孔７は、本実施形態では、前後左右方向の中心間の距離がそれぞれ約３０ｍｍとなるように形成されており、碁盤の目の交点部分に透孔７が位置するように設けられている。端板本体６の裏面６ｂ側には、テーパー状（皿状）で小径部分が複数個の透孔７にそれぞれ連続する凹所１０が形成されている。
【００１９】
このように透孔７を設けるとともに、この透孔７にピン９をそれぞれ固定することにより、ピン９のヘッド部８がスリップ防止のための突起となり、また、一定の間隔（本実施形態では３０ｍｍ）を有してピンを設けているため、靴底にピン９のヘッド部８の角が線接触状態で接触し、スリップ防止効果を得ることができる。
また、ピン９のヘッド部８は取付状態において少なくとも１ｍｍ以上突出していることが望ましい。
【００２０】
このピン９は、ヘッド部が略円錐台形状、略円柱状又は略角柱状等で、本実施形態では、略円錐台形状（断面視等脚台形状）に形成されており、端板本体６に固定した状態でヘッド部８が端板本体６の表面６ａから上方へ突出する。
【００２１】
また、ピン９の下端部付近はカシメ加工されており、前記凹所１０に入り込み、かつ、端板本体６の裏面から突出しないように変形して固定されている。本実施形態では、端板本体６の裏面６ｂと略面一となるように設けられている。なお、ピン９の下端部が端板本体６の裏面６ｂよりも凹状態となるように固定してもよい。
【００２２】
本発明の目地プレート５は、図６及び図７に示すように、浅皿状の目地プレート本体１１と、該目地プレート本体１１の一端部にヒンジ部材１２を介して取り付けられた目地プレート用端板１と、目地プレート本体１１の他端部側の両端部に設けられたピンボックス１３と、目地プレート本体１１の内部に充填されるモルタルやコンクリート等の充填部材１４と、この充填部材１４の上面に設けられた化粧板１５とで構成されている。
【００２３】
この目地プレート５は使用状態においては、図８に示すように、他端部側が一方の躯体３に設けられた目地プレート支持部１６支持される。この目地プレート支持部１６には枢支ピン１７が固定されており、この枢支ピン１７が前記ピンボックス１３に挿入された状態で支持される。
【００２４】
また、目地プレート５の一端部側は、他方の躯体４に形成された凹所状の目地プレートスライド支持部１８にスライド可能に支持される。
【００２５】
このような使用状態において、地震によって左右の躯体３、４が揺れ動き、目地部２が狭くなった場合には、図９に示すように、目地プレート５が他方の躯体４の床面に形成された傾斜面に乗り上がるとともに、前記ヒンジ部材１２を支点に目地プレート用端板１が回動し、他方の躯体４の床面と目地プレート５の上面との間に段差が生じることを防止する。
【００２６】
地震によって左右の躯体３、４が揺れ動き、目地部２が広くなった場合には、図１０に示すように、目地プレート５が他方の躯体４の床面をスライド移動するとともに、前記ヒンジ部材１２を支点に目地プレート用端板１が回動し、他方の躯体４の床面と床用目地プレート５の上面との間に段差が生じることを防止する。
【００２７】
[発明を実施するための異なる形態]
次に、図１１乃至図１５に示す本発明を実施するための異なる形態につき説明する。なお、本発明を実施するための異なる形態の説明に当って、前記第１の形態と同一構成部分には同一符号を付して重複する説明を省略する。
【００２８】
図１１乃至図１５に示す本発明を実施するための第２の形態において、前記本発明を実施するための第１の形態と主に異なる点は、略円柱状（断面視長方形状）のヘッド部８Ａを有するピン９Ａを用いるとともに、裏面側にザグリ穴状の凹所１０Ａを形成した端板本体６Ａを用いた目地プレート用端板１Ａを形成するとともに、この目地プレート用端板１Ａを取り付けた目地プレート５Ａにした点で、このような目地プレート用端板１Ａ及び目地プレート５Ａにしても、前記本発明を実施するための第１の形態と同様の作用効果を得ることができる。
【００２９】
なお、本発明の実施形態においては、ピンをカシメ加工して端板本体に固定しているが、端板本体に溶接可能な材料を用いる場合には、溶接等によりピン底面側が端板本体の背面側から突出しないように固定してもよい。
【００３０】
実施形態では、浅皿状の目地プレート本体内部に充填部材等を充填し、この目地プレート本体に目地プレート用端板を取り付けて目地プレートとしているが、板状の目地プレート本体の一端部に目地プレート用端板を取り付けてもよい。
【００３１】
凹所の形状としては、ザグリ穴状、皿状のものについて説明したが、ピンの下端部が端板本体から突出しないようにカシメ加工ができるような凹所であればどのような形状でもよく、例えば、角穴状の凹所としてもよい。
【００３２】
ピンのヘッド部は、角がたっている状態に形成することで、スリップ防止効果が高くなるが、その角部に微小なＣ面取り等を施した状態としても一定のスリップ防止効果を得ることができ、このように形成してもよい。
【００３３】
以上の通りであるから、本発明の目地プレート用端板は、左右の躯体間の目地部にかけ渡すように設けられ、目地部を塞ぐ目地プレートの一端部に取り付けられる目地プレート用端板であって、前記目地プレート用端板は、板状の端板本体と、この端板本体に形成された複数個の透孔と、該複数個の透孔にそれぞれ固定され、かつ、端板本体の表面からヘッド部が突出するピンとで構成され、前記複数個の透孔は略等間隔で形成され、前記ピンは、ヘッド部が略円錐台形状、略円柱状又は略角柱状に形成されているとともに、端板本体の裏面から突出しないように固定されていることを特徴とする。
【産業上の利用可能性】
【００３４】
本発明は目地プレート用端板や目地プレートを製造する産業で利用される。
【符号の説明】
【００３５】
１、１Ａ：目地プレート用端板、      ２：目地部、
３：一方の躯体、                    ４：他方の躯体、
５、５Ａ：目地プレート、            ６、６Ａ：端板本体、
７：透孔、                          ８、８Ａ：ヘッド部、
９、９Ａ：ピン、                    １０、１０Ａ：凹所、
１１：目地プレート本体、            １２：ヒンジ部材、
１３：ピンボックス、                １４：充填部材、
１５：化粧板、                      １６：目地プレート支持部、
１７：枢支ピン、                    １８：目地プレートスライド支持部。
【図１】
2019167682.tif 000003
【図２】
2019167682.tif 000004
【図３】
2019167682.tif 000005
【図４】
2019167682.tif 000006
【図５】
2019167682.tif 000007
【図６】
2019167682.tif 000008
【図７】
2019167682.tif 000009
【図８】
2019167682.tif 000010
【図９】
2019167682.tif 000011
【図１０】
2019167682.tif 000012
【図１１】
2019167682.tif 000013
【図１２】
2019167682.tif 000014
【図１３】
2019167682.tif 000015
【図１４】
2019167682.tif 000016
【図１５】
2019167682.tif 000017